(57)【要約】    【課題】      本発明は、非接触カードと交信する装置との間で、誤った交信をすることなく、確実に非接触カードに情報を読取りまたは書込みすることができるカード処理装置を提供することを目的とする。  【解決手段】  非接触カードからデータを読取りまたは書換える交信手段３を有したカード処理装置１において、前記非接触カードを搬送するように設けられた搬送手段２と、筐体１ａの表面に設けられ前記非接触カードと交信可能な交信エリア７と、前記交信手段３は前記搬送手段２と前記交信エリア７との間に位置して略並行に設けたことを特徴とする。  【選択図】    図１            
2005107941.tif 000002
【特許請求の範囲】
【請求項１】
筐体と、この筐体の内部にＩＣチップを有する非接触カードからデータを読取りまたは書換える交信手段を有したカード処理装置において、
非接触カードを挿入するカード挿入口が形成され、このカード挿入口から挿入された前記非接触カードを搬送するように設けられた搬送手段と、
筐体の表面に設けられ前記非接触カードと交信可能な交信面を有する交信エリアと、前記交信手段は前記搬送手段と前記交信面との間に配置するとともに、略並行に設けたことを特徴とするカード処理装置。  
【請求項２】
前記非接触カードをカード挿入口から挿入されると交信手段が稼動するように検知手段を設けたことを特徴とする請求項１記載のカード処理装置。
【請求項３】
前記交信エリアに非接触カードを載置することにより通信部が稼動するように重量検知手段を設けたことを特徴とする請求項１記載のカード処理装置。
【請求項４】
前記交信手段を稼動させるためのスイッチを設けたことを特徴とする請求項１記載のカード処理装置。
【発明の詳細な説明】
【技術分野】
【０００１】
本発明は、ＩＣチップを有する非接触カードの読取りまたは書込みをするカード処理装置に関する。
【背景技術】
【０００２】
近年、非接触カードが実用期に入りつつある。この非接触カードは、ＩＣチップに記憶された情報を読み取り機に置いたり、またはかざすだけで通過、あるいは精算できるので、ユーザにとっては便利である。
一方、単なる非接触カードでは、カードに電子情報として記録されている情報が目視できない。そこで、特開平１１−２２７３６９号公報に示すように、メディア表面に書き換え可能な印字層（以下、リライト印字面と称する）を設けて、カードの発行情報をリライト印字面に印字することができる非接触カードも提案されている。
このような状況のなかで、リライト印字面を有する非接触カードでは、ＩＣチップに情報を書込む作業と、リライト面に文字情報を書込む作業とが必要である。
【０００３】
例えば、特許文献１には、非接触ＩＣカードのＩＣチップに書込みと、リライト面への印字とを同時に行うことができる非接触メデイア発行装置が開示されている。この装置は、非接触ＩＣメディアをメディアかざし部にかざすだけで情報を読み取ることと、また非接触ＩＣメディアをメディア挿入部より挿入することでＩＣチップに情報を書込む作業と、リライト面に文字情報を書込む作業とを備えたことが開示されている。
【特許文献１】特開２００３−５０９７８号公報
【発明の開示】
【発明が解決しようとする課題】
【０００４】
しかしながら、メディアかざし部とメディア挿入部とを何れか一方を塞ぐ開閉蓋が設けられているので、使用する都度、この開閉蓋を手操作することになり操作が煩雑になるという問題がある。
また、開閉蓋が無い場合には、メディアかざし部の周囲に非接触メディアを無意識にかざすと非接触メディアと装置とで交信をすることとなり、誤った情報が書込んだり、更新したりする問題がある。
【０００５】
本発明は、上記問題にかんがみなされたもので、非接触カードと、このカードとを交信する装置との間で、誤った交信をすることなく、確実に非接触カードに情報を読取りまたは書込みすることができるカード処理装置を提供することを目的とする。
【課題を解決するための手段】
【０００６】
本発明は、非接触カードと交信する交信部に着目したので、請求項１記載の発明の要旨は、筐体と、この筐体の内部にＩＣチップを有する非接触カードからデータを読取りまたは書換える交信手段を有したカード処理装置において、非接触カードを挿入するカード挿入口が形成され、このカード挿入口から挿入された前記非接触カードを搬送するように設けられた搬送手段と、筐体の表面に設けられ前記非接触カードと交信可能な交信面を有する交信エリアと、前記交信手段は前記搬送手段と前記交信面との間に配置するとともに、略並行に設けたことを特徴とするカード処理装置にある。  
また、請求項２記載の発明の要旨は、前記非接触カードをカード挿入口から挿入されると交信手段が稼動するように検知手段を設けたことを特徴とする請求項１記載のカード処理装置にある。
また、請求項３記載の発明の要旨は、前記交信エリアに非接触カードを載置することにより通信部が稼動するように重量検知手段を設けたことを特徴とする請求項１記載のカード処理装置にある。
また、請求項４記載の発明の要旨は、前記交信手段を稼動させるためのスイッチを設けたことを特徴とする請求項１記載のカード処理装置にある。
【発明の効果】
【０００７】
本発明のカード処理装置は、非接触カードの読取りまたは書換えを行う交信を確実にするとともに、誤交信を防止できる。また、操作を容易にして操作性を向上させる効果を奏する。
【発明を実施するための最良の形態】
【０００８】
本発明の実施の形態を図１乃至図３に基づいて説明する。
図１はカード処理装置の概略の構成を示した説明図であり、図２はカード処理装置の制御ブロック図であり、図３は非接触カードの一部切り欠いた平面図である。
【０００９】
カード処理装置１は、主にカード搬送部（搬送手段）２と、交信部（交信手段）３、リライト印字部４、制御部５と、から構成されている。
カード搬送部２は、カード処理装置１の筐体１ａに形成されたカード挿入部１０から挿入された非接触カード５０（以下適宜、「カード」と称す）を搬送するカード搬送路２２を有している。カード搬送路２２には、複数の駆動ローラ１１、１２，１３と、プラテンローラ１７と、が設けられ、各駆動ローラに１１，１２，１３には、従動ローラ１４，１５，１６が設けられている。
各駆動ローラ１１，１２，１３とプラテンローラ１７との各々の間には、タイミングベルト(図示せず)が張架され、また、駆動ローラ１３にタイミングベルト(図示せず)を介してステッピングモータ３４が設けられている。      
このステッピングモータ３４の駆動により、各駆動ローラ１１，１２，１３およびプラテンローラ１７が同期して順方向または逆方向に回転可能に設けられ、カード５０を順方向または逆方向に搬送可能にしてある。
【００１０】
さらに、カード搬送部２には、カードセンサ６と、交信部３(交信手段)と、リライト印字部４と、を備えている。
交信部３は、アンテナ（図示せず）を有し、少なくとも上面及び下面と、を有する２面の薄板状の形状から成り、カード搬送部２と対面する交信部３の下面とカード搬送部２とは略並行に設けられている。これにより、微弱な電波でも非接触カード５０と確実に交信することができる。
交信部３と非接触カード５０に組み込まれた後述するＩＣチップ５１とに交信を可能にして、ＩＣチップ５１に記憶されたデータを読取りまたは書換え可能にしてある。
尚、交信部３の上面および下面の何れの面からも電波が飛ぶようにしてあり、非接触カード５０と交信可能にしてある。
【００１１】
リライト印字部４は  前述したプラテンローラ１７と、サーマルヘッド１８が配置され、カード５０の表面に形成されたリライト表示部５３に消去または印字することができるように、サーマルヘッド１８の選択的に発熱するようにしてある。また、サーマルヘッド１８は、プラテンローラ１７に対し接離自在に設けてある。
尚、リライト表示部５３は、主にロイコ顔料を形成したロイコ式または白濁式等を採用することができる。
カードセンサ６は、カード挿入口１０の近傍のカード搬送部２に沿って配置され、カード５０が挿入されることによりカード５０を検出して、交信部３を稼動するように制御される。
【００１２】
筐体１ａの表面には、表示部８と入力部９と交信エリア７とを有している。
表示部８は、入力部７により入力されたデータあるいは後述する制御部５からの制御により文字などを表示するようにしてある。
入力部９は、数字や文字などを入力することができる所定のキーが設けられている。
【００１３】
交信エリア７は、筐体１ａの入力部９の近傍に設けられ、非接触カード５０と交信可能な交信面１９と、この交信面１９の下側（カード処理装置１の内方）にロードセル２０（重量検出手段）が設けられている。
ロードセル２０は、カード５０を交信面１９に載置することにより重量を感知して、交信部３が稼動するようにしてあり、ロードセル２０は数グラムから感知する微小荷重タイプを採用してある。
これにより、交信面１９に非接触カード５０を載置することにより、非接触カード５０と交信部３とが交信可能することができるようにして、非接触カード５０のＩＣチップ５１に記憶されたデータを読取り、または書換え可能にしてある。
尚、交信面１９は、交信部３の上面と対向する位置に設けてあり、交信面１９と通信部３の上面とは略並行に設けられている。
これにより、微弱な電波でも非接触カードと確実に交信することができる。また、交信部３が常時稼動していないので、不意にカード５０を交信エリア７に内にさらしても交信することなく誤交信を防止することができる。
【００１４】
非接触カード５０は、ＩＣチップ５１を内蔵している本体を、ＰＥＴ樹脂素材などのフィルムなどで覆った構成とされている。
ＩＣチップ５１は、図示しないが電導レギュレータ、クロック再生回路（ロジック生成）、通信ロジック及び不揮発性メモリなどを備えている。なお、ＩＣチップ５１には、アンテナ５２を接続されている。
不揮発性メモリとしては、たとえばＥＥＲＯＭが用いられている。このＥＥＲＯＭは電気的に書き換え可能なＲＯＭである。
このような構成において、交信部３側からの微弱な電波で呼び出しが行われ、この呼び出しは、たとえば数十ＭＨｚの周波数を信号情報によって、オン／オフするＡＳＫ変調方式が用いられる。  
こうして発生した誘導磁界にＩＣチップ５１がかざされると、アンテナ５２に起電力が発生する。アンテナ５２に発生した起電力は、内部電源とされ、アンテナ５２を介して取込まれた信号は、クロック再生回路によって再生された後、不揮発性メモリの情報が読みとられる。読みとられた情報は、アンテナ５２から出力され、出力された情報は交信部３によって読取られる。また、ＩＣチップ５１に書換える場合にもアンテナ５２に起電力を発生させて、不揮発性メモリに情報を書換えるようにすることができる。
【００１５】
カード搬送部２の下方には制御部５が配置されている。
図２は、図１の制御部の構成例を示すブロック図である。同図に示すように、制御部５は、印字制御プログラム、各種固定データ、ＩＯ定数、モータ制御プログラム、交信制御プログラム等を記憶するＲＯＭ（ｒｅａｄ  ｏｎｌｙ  ｍｅｍｏｒｙ）３１と、ＲＯＭ３１に記憶されている各種制御プログラムに従って動作し、各部を制御するＣＰＵ（ｃｅｎｔｒａｌ  ｐｒｏｃｅｓｓｉｎｇ  ｕｎｉｔ）３０と、ＣＰＵ３０が動作する上で必要となる各種データを記憶するワークエリア、およびリライト表示部５３に印字する印字データが展開される印字展開エリアを有するＲＡＭ（ｒａｎｄｏｍ  ａｃｃｅｓｓ  ｍｅｍｏｒｙ）３２と、駆動ローラ１３を回転させることにより、非接触カード５０をカード挿入口１０からリライト印字部４に向けて搬送し（順方向）、または順方向とは逆方向に搬送駆動するステッピングモータ３４と、ステッピングモータ３４を制御するモータ制御回路３３と、ＣＰＵ２１の制御下、非接触カード５０と交信するアンテナを有する交信部３と、交信部３を制御して非接触カード５０のＩＣチップ５１のデータを読書きするよう制御する通信制御回路３５と、ＣＰＵ２１の制御下、ＲＡＭ３２の印字展開エリアに展開された印字すべき文字、図形などの印字データに対応する制御信号を生成し、生成した制御信号をサーマルヘッド１８に供給して印字動作を行わせる印字制御回路３６と、ＣＰＵ２１の制御下、カードセンサ６の図示せぬ発光部を制御し、光を出射させるとともに、図示せぬ受光部から出力される電気信号を受け取り、ディジタルのデータに変換して通信制御回路３５の更新開始データとしてＣＰＵ２１に供給するカード検出回路３７と、ＣＰＵ２１の制御下、ロードセル２０が非接触カード５０を載置されたことを検知して、交信制御回路３５に交信開始データとしてＣＰＵ２１に供給する重量検出回路３８と、各種データやコマンドを入力するための入力部９と、入力部９から入力されたデータやコマンドをＣＰＵ２１に供給し、各種データを表示する表示部８と、ホストコンピュータ（図示せず）等の外部機器と接続する外部インターフェース３９と、操作部９と表示部８とをＣＰＵ２１に接続するインターフェース４０と、から構成されている。
【００１６】
このように構成したカード処理装置の動作について説明する。
非接触カード５０をカード処理装置１のカード挿入口１０に差し入れると、カードセンサ６によりカード５０が挿入されたことを検出し、カード搬送部２が動作してカード５０を搬送するとともに通信部３稼動する。カード５０は、交信部３を配置した下方に移送されると搬送が一時停止する。
【００１７】
通信部３の下方に移送されたカード５０は、通信部３からの電波により、カード５０に設けられたＩＣチップ５１に記憶された記憶情報から情報を読取るようにしてあり、通信部３は、読取った情報を通信制御回路を介して、ＲＡＭ３２に記憶するようにしてある。
ＲＡＭ３２に記憶された情報に基づいてカード処理装置１内に記憶した所定のデータファイルを検索し、該当する情報に基づいて読出して表示部８に表示させることができる。
このように、カード搬送部２と対面する交信部３の下面とが略並行に設けられているので、微弱な電波でも非接触カード５０と確実に交信することができる。
【００１８】
オペレータは入力部９から所定の操作を行うことにより、カード５０のＩＣチップ５１に書換えして、カード５０は搬送部２の駆動によりリライト印字部４に向けて搬送される。リライト印字部４に搬送されたカード５０は、サーマルヘッド１８によりリライト表示部５３に所定の情報が印字される。
リライト表示部５３が更新されると、カード５０はカード挿入口１０に向けて逆搬送するようにカード搬送部２が駆動し、カード５０がカード挿入口１０に到達すると搬送部５が停止するように制御してある。
【００１９】
リライト表示部５３が形成されていない非接触カードは、筐体１ａの表面に設けられた交信エリア７内よって交信することができる。
リライト表示部５３のない非接触カードを交信エリア７内の交信面１９に載せることにより、ロードセル２０がカードを検出して、交信部３が稼動して交信することが可能になる。
これにより、操作を容易にして操作性を向上させることができる。
【００２０】
また、カード処理装置１には、スイッチ２１が設けられ、このスイッチ２１を押下すことにより、交信部３が稼動するようにしてもよく、この場合には、交信面１９に非接触カードを置くことなく、交信エリア７にさらすだけで読取りまたは書換えすることができる。
尚、スイッチ２１を押下したときは、予め設定した時間を経過した後に通信部３が稼動を停止するようにする。
【００２１】
このように、交信部３は常時稼動していないので不意にカードを交信エリア７にさらした場合、交信することなく誤交信を防止することができる。
また、交信部３とカード搬送路または交信部３と交信面１９とが略並行に設けられているので、従来よりも微弱な電波で交信することができ、バッテリーで動作する装置においてはバッテリーの消耗を遅延させることができる。
【００２２】
なお、本発明が上記各実施の形態に限定されず、本発明の技術思想の範囲内において、実施の形態は適宜変更され得ることは明らかである。
また、上記各構成部材の数、位置、形状等は上記実施の形態に限定されず、本発明を実施する上で好適な数、位置、形状等にすることができる。なお、各図において、同一構成要素には同一符号を付している。
データファイルは、カード処理装置内に記憶した例で説明したが、ホストなどに記憶させることもでき、この場合には外部インターフェースを介してホストと接続するようにしてもよい。また、検知手段を光検出センサで説明したが、機械的なスイッチでもよい。
【図面の簡単な説明】
【００２３】
【図１】本発明のカード処理装置の概略の構成を示した説明図である。
【図２】同上、カード処理装置の制御ブロック図である。
【図３】非接触カードの一部切り欠いた平面図である。
【符号の説明】
【００２４】
１      カード処理装置
１ａ    筐体  
２      カード搬送部（搬送手段)
３      交信部（交信手段）  
４      リライト印字部
５      制御部
６      カードセンサ（検知手段）
７      交信エリア   
８      表示部
９      入力部
１０    カード挿入部
１９    交信面
２０    ロードセル（重量検出手段）
２１    スイッチ
２２    カード搬送路
５０    非接触カード
５１    ＩＣチップ
５３    リライト表示部
【図１】
2005107941.tif 000003
【図２】
2005107941.tif 000004
【図３】
2005107941.tif 000005